(57)【要約】【課題】人手による指圧作業を正確に効率的に代替する手動式の指圧具を提供する。【解決手段】前半部２は、先端部３が縮径した弾性部材からなり、後端面４の略中央に開口部５を有する軸挿入孔６を形成し、後半部１０は、軸挿入孔６に挿抜自在の指圧軸１１と、指圧軸１１の基端となり指圧軸１１の軸径よりも大径の把持部１２と、で形成し、前半部２と後半部１０との結合境界部Ｇは、前半部２の外側面７と後半部１０の外側面１３とが面一で滑らかに結合するよう形成し、軸挿入孔６に指圧軸１１を挿入することで一体の長尺となるよう構成したことを特徴とする。【選択図】図１
2020178975.tif 000002
【特許請求の範囲】
【請求項１】
前半部と後半部とを着脱自在に構成した指圧具であって、
前記前半部は、先端部が縮径した弾性部材からなり、後端面の略中央に開口部を有する軸挿入孔を形成し、
前記後半部は、前記軸挿入孔に挿抜自在の指圧軸と、前記指圧軸の基端となり前記指圧軸の軸径よりも大径の把持部と、で形成し、
前記前半部と前記後半部との結合境界部は、前記前半部の外側面と前記後半部の外側面とが面一で滑らかに結合するよう形成し、
前記軸挿入孔に前記指圧軸を挿入することで一体の長尺となるよう構成したことを特徴とする指圧具。
【請求項２】
前記前半部のショアＡ硬度は２０〜５０であることを特徴とする請求項１に記載の指圧具。
【請求項３】
前記指圧軸は、前記前半部の長さに対して７０％〜９０％の長さに形成し、
前記指圧軸の中途部における前記指圧軸の軸線方向と直行する断面において、前記指圧軸の断面積は前記前半部の断面積の８％〜１５％に形成したことを特徴とする請求項１又は２に記載の指圧具。
【請求項４】
前記軸挿入孔の孔深さは、前記指圧軸の長さに対して５％〜１５％深く形成したことを特徴とする請求項１乃至３の何れか１項に記載の指圧具。
【請求項５】
前記前半部は、透光性を有し、前記後半部は、前記指圧軸と前記把持部とを着脱自在に構成したことを特徴とする請求項１乃至４の何れか１項に記載の指圧具。
【発明の詳細な説明】
【技術分野】
【０００１】
この発明は、人手による指圧作業を正確に効率的に代替する手動式の指圧具に関する。
【背景技術】
【０００２】
従来、指圧は、治療や健康維持・増進等を目的として母指を中心とした手指と掌を用いて所謂ツボと呼ばれる部位を押圧し自然治癒力により目的を達成させるものとして広く行われている。
【０００３】
このような指圧は、治療を目的とした場合はあん摩マッサージ指圧師により施術されるが、人手による指圧は繊細な感覚により正確な部位に適度な押圧力を与えることができる反面、手指の形状が限定されていることから部位によっては必ずしも常に効率的に治療が施されている訳ではなく、指圧師の経験や技量に左右される面も大きい。
【０００４】
また、ツボを手指で直接触れるため感染症等の衛生面で気を使いながら一日に多くの患者を施術する指圧師の手指や掌への負担は多大なものとなることから、人手に代わって指圧を行う器具等が考案されている。
【０００５】
例えば、特許文献１に係る技術は、指先の代わりに指圧を行なうための指圧器であって、掌におさまる大きさを有する盤状の台盤と、その台盤の中央部に設けた指先形の突部及び突部に着脱可能な継手構造と人の指に近い感触と形状の指圧部を持ったキャップ状の指圧体とからなり、指圧体は大きさ、形状が異なる指圧部をそなえた複数の種類のものを交換使用することを可能に構成されている。
【先行技術文献】
【特許文献】
【０００６】
【特許文献１】実用新案登録第３０４２８７５号公報
【発明の概要】
【発明が解決しようとする課題】
【０００７】
しかしながら、特許文献１に係る指圧器は、指圧を行う目標部位を手指によって探知して当該部位に指圧部の先端を位置決めした後、当該部位のみをある程度長く押圧することが出来る点では優れているが、台盤を掌に収めるように把持するため、目標部位に指圧部の先端を正確に位置決めすることは容易ではなく、しかも、長時間の把持は握力の低下を招き目標部位からの位置ずれを誘発し易く、連続して複数の部位を的確に押圧するには適していなかった。
【０００８】
本発明は、以上のような事情に鑑みてなされたものであり、人手による指圧作業を正確に効率的に代替する手動式の指圧具を提供することにある。
【課題を解決するための手段】
【０００９】
以上のような目的を達成するために、本発明は以下のようなものを提供する。
【００１０】
請求項１に係る発明では、前半部と後半部とを着脱自在に構成した指圧具であって、前記前半部は、先端部が縮径した弾性部材からなり、後端面の略中央に開口部を有する軸挿入孔を形成し、前記後半部は、前記軸挿入孔に挿抜自在の指圧軸と、前記指圧軸の基端となり前記指圧軸の軸径よりも大径の把持部と、で形成し、前記前半部と前記後半部との結合境界部は、前記前半部の外側面と前記後半部の外側面とが面一で滑らかに結合するよう形成し、前記軸挿入孔に前記指圧軸を挿入することで一体の長尺となるよう構成したことを特徴とする指圧具を提供せんとする。
【００１１】
請求項２に係る発明では、前記前半部のショアＡ硬度は２０〜５０であることを特徴とする請求項１に記載の指圧具を提供せんとする。
【００１２】
請求項３に係る発明では、前記指圧軸は、前記前半部の長さに対して７０％〜９０％の長さに形成し、前記指圧軸の中途部における前記指圧軸の軸線方向と直行する断面において、前記指圧軸の断面積は前記前半部の断面積の８％〜１５％に形成したことを特徴とする請求項１又は２に記載の指圧具を提供せんとする。
【００１３】
請求項４に係る発明では、前記軸挿入孔の孔深さは、前記指圧軸の長さに対して５％〜１５％深く形成したことを特徴とする請求項１乃至３の何れか１項に記載の指圧具を提供せんとする。
【００１４】
請求項５に係る発明では、前記前半部は、透光性を有し、前記後半部は、前記指圧軸と前記把持部とを着脱自在に構成したことを特徴とする請求項１乃至４の何れか１項に記載の指圧具を提供せんとする。
【発明の効果】
【００１５】
請求項１記載の発明によれば、前半部は、先端部が縮径した弾性部材からなり、後端面の略中央に開口部を有する軸挿入孔を形成し、後半部は、軸挿入孔に挿抜自在の指圧軸と、指圧軸の基端となり指圧軸の軸径よりも大径の把持部と、で形成し、前半部と後半部との結合境界部は、前半部の外側面と後半部の外側面とが面一で滑らかに結合するよう形成し、軸挿入孔に指圧軸を挿入することで一体の長尺となるよう構成したことより、前半部と後半部を一体のものとして把持し手指の如く取り扱うことができるので、指圧の目標部位を手指により探知した後、先端部を当該部位に長時間ブレずに正確に当接でき、しかも、連続して複数の部位を的確に押圧することができる。
【００１６】
また、使用により劣化した前半部を新品の物と容易に交換でき、更に、形状や材質等が異なる前半部が必要であれば前半部のみを状況に応じて交換でき、しかも、形状や材質等が異なる指圧軸を備えた後半部が必要であれば後半部のみを状況に応じて容易に交換することができる。
【００１７】
請求項２記載の発明によれば、前半部のショアＡ硬度は２０〜５０であることより、指圧軸を手指の骨の如く作用させつつ前半部を手指の肉の如く作用させ、手指に近似した感触による押圧が可能となる。
【００１８】
請求項３記載の発明によれば、指圧軸は、前半部の長さに対して７０％〜９０％の長さに形成し、指圧軸の中途部における指圧軸の軸線方向と直行する断面において、指圧軸の断面積は前半部の断面積の８％〜１５％に形成したことより、手指では実現し難いピンポイントで正確な押圧が可能となる。
【００１９】
請求項４記載の発明によれば、軸挿入孔の孔深さは、指圧軸の長さに対して５％〜１５％深く形成したことより、指圧軸の先端に空間が生じ前半部の伸縮幅が増加するため微妙な力加減の押圧が可能となる。
【００２０】
請求項５記載の発明によれば、前半部は、透光性を有し、後半部は、指圧軸と把持部とを着脱自在に構成したことより、外部から指圧軸の軸線方向を見ながら先端部を目標部位に正確に当接することができ、更に、形状や材質等が異なる指圧軸を状況に応じて容易に交換することができる。
【図面の簡単な説明】
【００２１】
【図１】本実施形態に係る指圧具の分解斜視図である。
【図２】（ａ）は指圧軸を着脱自在に形成し前半部の先端部を円錐台形状とした指圧具の断面図で、（ｂ）は前半部の先端部を湾曲形状とした断面図である。
【図３】（ａ）は指圧軸の先端部を湾曲形状とした後半部の側面図で、（ｂ）は指圧軸の先端部を略球状とした後半部の側面図で、（ｃ）は指圧軸の先端部を略綿棒状とした後半部の側面図である。
【発明を実施するための形態】
【００２２】
本発明に係る指圧具の要旨は、前半部と後半部とを着脱自在に構成した指圧具であって、前半部は、先端部が縮径した弾性部材からなり、後端面の略中央に開口部を有する軸挿入孔を形成し、後半部は、軸挿入孔に挿抜自在の指圧軸と、指圧軸の基端となり指圧軸の軸径よりも大径の把持部と、で形成し、前半部と後半部との結合境界部は、前半部の外側面と後半部の外側面とが面一で滑らかに結合するよう形成し、軸挿入孔に指圧軸を挿入することで一体の長尺となるよう構成したことを特徴とする。すなわち、人手による指圧作業を正確に効率的に代替する手動式の指圧具の提供を図ろうとするものである。
【００２３】
以下、本発明に係る指圧具１の一実施形態について図面を参照しながら説明する。また、本説明中において左右同一又は左右対称の構造や部品については、原則として同一の符号を付し、左右何れか一方のみを説明して、他方については説明を適宜省略する。
【００２４】
本発明の実施形態に係る指圧具１は、図１、図２（ａ）に示すように、前半部２と後半部１０とを着脱自在に構成した指圧具１であって、前半部２は、先端部３が縮径した弾性部材からなり、後端面４の略中央に開口部５を有する軸挿入孔６を形成し、後半部１０は、軸挿入孔６に挿抜自在の指圧軸１１と、指圧軸１１の基端となり指圧軸１１の軸径よりも大径の把持部１２と、で形成し、前半部２と後半部１０との結合境界部Ｇは、前半部２の外側面７と後半部１０の外側面１３とが面一で滑らかに結合するよう形成し、軸挿入孔６に指圧軸１１を挿入することで一体の長尺となるよう構成している。
【００２５】
まず、前半部２は、図１、図２（ａ）に示すように、円柱状に形成し先端部３を縮径した円錐台形状とした弾性部材からなり、弾性シリコン樹脂やゴム材等のように弾性と伸縮性を共に備えた材料によりショアＡ硬度を２０〜５０、望ましくは２５〜３５に調整している。なお、ショアＡ硬度は、ＪＩＳ  Ｋ６２５３−３に基づいて測定される値である。
【００２６】
また、後端面４に形成した軸挿入孔６の孔深さＨは、挿入される指圧軸１１の長さＳと略同程度に形成すると共に底部を外側に湾曲して形成し、軸挿入孔６の内径は、指圧軸１１の外径よりも若干だけ大きく形成しており、具体的には略０．１ｍｍ〜略０．３ｍｍ大きく形成している。
【００２７】
なお、軸挿入孔６の孔深さＨを指圧軸１１の長さＳに対して５％〜１５％深く形成し、指圧軸１１の先端に空間を生じさせてもよい。
【００２８】
更に、本実施形態に係る指圧具１では、前半部２として透光性を有する上述した材料を用いることで前半部２の外側から指圧軸１１の形状を視認することができるよう構成している。
【００２９】
なお、前半部２は、必ずしも円柱状である必要は無く、また、先端部３も、縮径していれば本実施形態に限定されるものではなく、例えば、図２（ｂ）に示すように湾曲した形状であっても良く、更に、軸挿入孔６の底部を外側に湾曲して形成していなくても本発明の要旨の範囲内において種々の変形・変更が可能である。
【００３０】
次に、後半部１０は、図１に示すように、軸挿入孔６に挿抜自在の指圧軸１１と、指圧軸１１の基端となり指圧軸１１の軸径よりも大径の把持部１２とで形成しており、具体的には、指圧軸１１と把持部１２はステンレス等の金属からなり、変形し易い弾性を有する前半部２に対して変形し難い材質で構成している。
【００３１】
指圧軸１１は、図１、図２（ａ）、図３（ａ）に示すように円柱状に形成し、先端を外側に湾曲した形状として前半部２の長さＺに対して７０％〜９０％の長さＳに形成している。
【００３２】
また、指圧軸１１の中途部における指圧軸１１の軸線方向と直行する断面Ｄにおいて、指圧軸１１の断面積は前半部２の断面積の８％〜１５％に形成している。
【００３３】
把持部１２は、前半部２の直径と略同一の直径からなる円柱状に形成し、一方の端面の中央に指圧軸１１を立設して一体の後半部１０を構成している。
【００３４】
従って、前半部２の軸挿入孔６に後半部１０の指圧軸１１を挿入して一体の長尺となった指圧具１は、図２（ａ）、（ｂ）に示すように、前半部２の外側面７と後半部１０の外側面１３とが面一で滑らかに結合した結合境界部Ｇを形成することになる。
【００３５】
また、指圧軸１１の形状は、本実施形態に限定されず、より手指に近似した感触による押圧が可能となるよう、例えば、図３（ｂ）に示すように先端１７を指圧軸１１の軸径よりも大径の略球状に形成したり、図３（ｃ）に示すように先端１８を綿棒状に形成する等、本発明の要旨の範囲内において種々の変形・変更が可能である。
【００３６】
更に、指圧軸１１は、図２（ａ）、（ｂ）に示すように、指圧軸１１と把持部１２とを着脱自在に構成している。具体的には、指圧軸１１の基端に指圧軸１１の外径よりも小さな外径からなる雄ネジ１４を形成し、把持部１２の一方の端面の中央に指圧軸１１の雄ネジ１４と螺合する雌ネジ１５を形成している。
【００３７】
このように形成することで、種類の異なる指圧軸や把持部を組み替えて後半部１０を構成することができる。
【００３８】
なお、本実施形態では後半部１０を構成する指圧軸１１と把持部１２の材質はステンレス等の金属として説明しているが、変形し難い材質であれば、木や硬質プラスチック等如何なる材質であっても良く、また、指圧軸１１と把持部１２とを着脱自在に構成する手段は雄ネジ１４と雌ネジ１５の螺合に限定されず、本発明の要旨の範囲内において種々の変形・変更が可能である。
【００３９】
以上、説明したように本実施形態に係る指圧具１は、前半部２は、先端部３が縮径した弾性部材からなり、後端面４の略中央に開口部５を有する軸挿入孔６を形成し、後半部１０は、軸挿入孔６に挿抜自在の指圧軸１１と、指圧軸１１の基端となり指圧軸１１の軸径よりも大径の把持部１２と、で形成し、前半部２と後半部１０との結合境界部Ｇは、前半部２の外側面７と後半部１０の外側面１３とが面一で滑らかに結合するよう形成し、軸挿入孔６に指圧軸１１を挿入することで一体の長尺となるよう構成したことより、前半部２と後半部１０を一体のものとして把持し手指の如く取り扱うことができるので、指圧の目標部位を手指により探知した後、先端部３を当該部位に長時間ブレずに正確に当接でき、しかも、連続して複数の部位を的確に押圧することができる。
【００４０】
また、使用により劣化した前半部２を新品の物と容易に交換でき、更に、形状や材質等が異なる前半部２が必要であれば前半部２のみを状況に応じて交換でき、しかも、形状や材質等が異なる指圧軸１１を備えた後半部１０が必要であれば後半部１０のみを状況に応じて容易に交換することができる。
【００４１】
また、前半部２のショアＡ硬度は２０〜５０であることより、指圧軸１１を手指の骨の如く作用させつつ前半部２を手指の肉の如く作用させ、手指に近似した感触による押圧が可能となる。
【００４２】
また、指圧軸１１は、前半部２の長さＺに対して７０％〜９０％の長さＳに形成し、指圧軸１１の中途部における指圧軸１１の軸線方向と直行する断面Ｄにおいて、指圧軸１１の断面積は前半部２の断面積の８％〜１５％に形成したことより、手指では実現し難いピンポイントで正確な押圧が可能となる。
【００４３】
更に、軸挿入孔６の孔深さＨは、指圧軸１１の長さに対して５％〜１５％深く形成したことより、指圧軸１１の先端に空間が生じ前半部２の伸縮幅が増加するため微妙な力加減の押圧が可能となる。
【００４４】
しかも、前半部２は、透光性を有し、後半部１０は、指圧軸１１と把持部１２とを着脱自在に構成したことより、外部から指圧軸１１の軸線方向を見ながら先端部３を目標部位に正確に当接することができ、更に、形状や材質等が異なる指圧軸１１を状況に応じて容易に交換することができる。
【００４５】
以上、本発明の本実施形態に係る指圧具１の好ましい実施形態について説明したが、本発明は特定の実施形態に限定されるものではなく、種々の変形・変更が可能である。
【符号の説明】
【００４６】
Ｄ  断面
Ｇ  結合境界部
Ｈ  軸挿入孔の孔深さ
Ｓ  指圧軸の長さ
Ｚ  前半部の長さ
１  指圧具
２  前半部
３  先端部
４  後端面
５  開口部
６  軸挿入孔
７  外側面（前半部）
１０  後半部
１１  指圧軸
１２  把持部
１３  外側面（後半部）
１７  先端
【図１】
2020178975.tif 000003
【図２】
2020178975.tif 000004
【図３】
2020178975.tif 000005